【手続補正書】
【提出日】平成25年8月6日(2013.8.6)
【手続補正１】
【補正対象書類名】特許請求の範囲
【補正対象項目名】全文
【補正方法】変更
【補正の内容】
【特許請求の範囲】
【請求項１】
観察照明下における印刷物の画像をモニタ上で再現するソフトプルーフ処理を行う画像処理装置であって、
メディアの変角反射特性を保持する第一の保持手段と、
複数種類の観察照明それぞれの、平面上での強度分布を照明画像データとして保持する第二の保持手段と、
前記メディアに複数色が印刷されたサンプル印刷物をサンプル照明によって照明した場合の正反射光の測色値を、前記複数色の各色の光沢成分として保持する第三の保持手段と、
前記サンプル印刷物を前記サンプル照明によって照明した場合の拡散反射光の測色値を、前記複数色の各色の拡散成分として保持する第四の保持手段と、
印刷物の観察照明の設置状態を示す設置情報と発光状態を示す発光情報を取得する取得手段と、
前記第二の保持手段が保持する照明画像データから前記設置情報に応じた照明画像データを選択する選択手段と、
前記選択された照明画像データに、前記印刷物のメディアの変角反射特性に応じたフィルタ処理を施して、ボケ画像データを生成する生成手段と、
前記第三の保持手段が保持する光沢成分および前記第四の保持手段が保持する拡散成分を、前記発光情報に応じて補正する補正手段と、
前記補正後の光沢成分と拡散成分、および、前記ボケ画像データを用いて、プルーフ対象画像の画素ごとにプルーフ色を算出する算出手段とを有する画像処理装置。
【請求項２】
前記算出手段は、前記プルーフ対象画像の画素の色に応じた前記補正後の光沢成分と拡散成分の差分に、前記画素の位置に対応する前記ボケ画像データを乗算し、前記乗算結果に前記補正後の拡散成分を加算して前記プルーフ色を算出する請求項1に記載の画像処理装置。
【請求項３】
前記取得手段は、ユーザ指示に応じて、前記観察照明の種類および形状、照明ボックス内の該観察照明の数、該照明ボックスの個数、照射方法、該観察照明と前記印刷物の間の距離を示す情報を、前記設置情報として取得する請求項1または請求項2に記載の画像処理装置。
【請求項４】
前記選択手段は、前記設置情報に応じて前記第二の保持手段に保持された複数の照明画像データを組み合わせた照明画像データを選択する請求項1から請求項3の何れか一項に記載の画像処理装置。
【請求項５】
前記フィルタ処理には、前記観察照明と前記印刷物の間の距離を示す情報と、前記変角反射特性に応じて生成されるローパスフィルタが用いられる請求項3に記載の画像処理装置。
【請求項６】
前記取得手段は、ユーザ指示に応じて、前記観察照明の色温度を前記発光情報として取得し、
前記補正手段は、前記第三の保持手段が保持する光沢成分および前記第四の保持手段が保持する拡散成分を、前記色温度が示す白色点に応じて補正する請求項1から請求項5の何れか一項に記載の画像処理装置。
【請求項７】
前記取得手段は、ユーザ指示に応じて、前記印刷物上の照度を前記発光情報として取得し、
前記補正手段は、前記第三の保持手段が保持する光沢成分および前記第四の保持手段が保持する拡散成分を、前記照度に応じて補正することを特徴とする請求項1から請求項5の何れか一項に記載の画像処理装置。
【請求項８】
前記メディアの表面凹凸を示す凹凸データを取得する手段と、
前記算出手段によって生成されるプルーフ画像に前記凹凸データを合成する手段とを有する請求項1から請求項7の何れか一項に記載の画像処理装置。
【請求項９】
前記算出手段によって生成されるプルーフ画像または前記凹凸データが合成されたプルーフ画像をモニタに表示する手段と、
前記モニタに表示されたプルーフ画像に対する回転指示を入力する手段とを有し、
前記算出手段は、前記回転指示に応じて、前記プルーフ対象画像の画素に対応する前記ボケ画像データの画素位置を変更して前記プルーフ画像を再生成する請求項1から請求項8の何れか一項に記載の画像処理装置。
【請求項１０】
観察照明下における印刷物の画像をモニタ上で再現するソフトプルーフ処理を行う画像処理装置であって、
メディアの変角反射特性を保持する第一の保持手段と、
複数種類の観察照明それぞれの、平面上での強度分布を照明画像データとして保持する第二の保持手段と、
前記メディアに複数色が印刷されたサンプル印刷物をサンプル照明によって照明した場合の正反射光の測色値を、前記複数色の各色の光沢成分として保持する第三の保持手段と、
前記サンプル印刷物を前記サンプル照明によって照明した場合の拡散反射光の測色値を、前記複数色の各色の拡散成分として保持する第四の保持手段と、
印刷物の観察照明を撮影した照明画像データを入力する入力手段と、
前記照明画像データのサイズをその撮影情報に応じて補正するサイズ補正手段と、
前記補正後の照明画像データに、前記印刷物のメディアの変角反射特性に応じたフィルタ処理を施して、ボケ画像データを生成する生成手段と、
前記第三の保持手段が保持する光沢成分および前記第四の保持手段が保持する拡散成分を、前記撮影情報から取得される前記観察照明の発光情報に応じて補正する補正手段と、
前記補正後の光沢成分と拡散成分、および、前記ボケ画像データを用いて、プルーフ対象画像の画素ごとにプルーフ色を算出する算出手段とを有する画像処理装置。
【請求項１１】
メディアの変角反射特性を保持する第一の保持手段と、
複数種類の観察照明それぞれの、平面上での強度分布を照明画像データとして保持する第二の保持手段と、
前記メディアに複数色が印刷されたサンプル印刷物をサンプル照明によって照明した場合の正反射光の測色値を、前記複数色の各色の光沢成分として保持する第三の保持手段と、
前記サンプル印刷物を前記サンプル照明によって照明した場合の拡散反射光の測色値を、前記複数色の各色の拡散成分として保持する第四の保持手段とを有し、
観察照明下における印刷物の画像をモニタ上で再現するソフトプルーフ処理を行う画像処理装置の画像処理方法であって、
印刷物の観察照明の設置状態を示す設置情報と発光状態を示す発光情報を取得し、
前記第二の保持手段が保持する照明画像データから前記設置情報に応じた照明画像データを選択し、
前記選択された照明画像データに、前記印刷物のメディアの変角反射特性に応じたフィルタ処理を施して、ボケ画像データを生成し、
前記第三の保持手段が保持する光沢成分および前記第四の保持手段が保持する拡散成分を、前記発光情報に応じて補正し、
補正後の光沢成分と拡散成分、および、前記ボケ画像データを用いて、プルーフ対象画像の画素ごとにプルーフ色を算出することを特徴とする画像処理方法。
【請求項１２】
コンピュータを請求項1から請求項10の何れか一項に記載の画像処理装置の各手段として機能させるためのプログラム。
【手続補正２】
【補正対象書類名】明細書
【補正対象項目名】０００９
【補正方法】変更
【補正の内容】
【０００９】
本発明は、ユーザの観察照明環境を示す情報を取得し、当該観察照明環境の情報をソフトプルーフ処理に反映することを目的とする。
【手続補正３】
【補正対象書類名】明細書
【補正対象項目名】００１０
【補正方法】変更
【補正の内容】
【００１０】
上記目的を達成するための一手段として、本発明は以下の構成を備える。
【手続補正４】
【補正対象書類名】明細書
【補正対象項目名】００１１
【補正方法】変更
【補正の内容】
【００１１】
本発明にかかる画像処理は、メディアの変角反射特性を保持する第一の保持手段と、複数種類の観察照明それぞれの、平面上での強度分布を照明画像データとして保持する第二の保持手段と、前記メディアに複数色が印刷されたサンプル印刷物をサンプル照明によって照明した場合の正反射光の測色値を、前記複数色の各色の光沢成分として保持する第三の保持手段と、前記サンプル印刷物を前記サンプル照明によって照明した場合の拡散反射光の測色値を、前記複数色の各色の拡散成分として保持する第四の保持手段とを有し、観察照明下における印刷物の画像をモニタ上で再現するソフトプルーフ処理を行う画像処理装置において、印刷物の観察照明の設置状態を示す設置情報と発光状態を示す発光情報を取得し、前記第二の保持手段が保持する照明画像データから前記設置情報に応じた照明画像データを選択し、前記選択された照明画像データに、前記印刷物のメディアの変角反射特性に応じたフィルタ処理を施して、ボケ画像データを生成し、前記第三の保持手段が保持する光沢成分および前記第四の保持手段が保持する拡散成分を、前記発光情報に応じて補正し、補正後の光沢成分と拡散成分、および、前記ボケ画像データを用いて、プルーフ対象画像の画素ごとにプルーフ色を算出する。
【手続補正５】
【補正対象書類名】明細書
【補正対象項目名】００１２
【補正方法】変更
【補正の内容】
【００１２】
本発明によれば、ユーザの観察照明環境を示す情報を取得し、当該観察照明環境の情報をソフトプルーフ処理に反映する。従って、ユーザの観察照明下における印刷物の画像をモニタ上に高精度に再現することができる。